(57)【要約】【課題】  送受信可能な距離を長くすることができる携帯電話機用アンテナを提供する。【解決手段】  携帯電話機２のインターフェイスコネクタに接続され、そのインターフェイスコネクタのアンテナ端子に電気的に接続されるアンテナ接続端子を有するコネクタ部３と、アンテナ接続端子に電気的に接続されるアンテナエレメントを有する外部アンテナ部とを備えた携帯電話機用アンテナであって、アンテナエレメントが、導波素子６、放射素子７及び反射素子８を有することにより、携帯電話機の送受信可能な距離を長くすることが可能となる。【選択図】        図１
2005286983.tif 000002
【特許請求の範囲】
【請求項１】
携帯電話機のインターフェイスコネクタに接続され、そのインターフェイスコネクタのアンテナ端子に電気的に接続されるアンテナ接続端子を有するコネクタ部と、前記アンテナ接続端子に電気的に接続されるアンテナエレメントを有する外部アンテナ部とを備えた携帯電話機用アンテナであって、
前記アンテナエレメントが、導波素子、放射素子及び反射素子を有することを特徴とする携帯電話機用アンテナ。
【請求項２】
前記導波素子、前記放射素子及び前記反射素子が、１枚の基板にパターンニングされて形成されていることを特徴とする請求項１に記載の携帯電話機用アンテナ。
【請求項３】
前記導波素子、前記放射素子及び前記反射素子が、それぞれ平板状に形成され、これら導波素子、放射素子及び反射素子が、導波素子と反射素子との間に放射素子が配置されると共に互いに略平行になるように配置されていることを特徴とする請求項１に記載の携帯電話機用アンテナ。
【請求項４】
前記導波素子、前記放射素子及び前記反射素子が、それぞれ棒状の部材により形成され、これら導波素子、放射素子及び反射素子が、導波素子と反射素子との間に放射素子が配置されると共に互いに略平行になるように１本のアームに取り付けられていることを特徴とする請求項１に記載の携帯電話機用アンテナ。
【請求項５】
前記アームの導波素子側の端部に、該アームを支持する支持体が設けられ、該支持体に、当該支持体を所望の箇所に取り付ける取付部が設けられていることを特徴とする請求項４に記載の携帯電話機用アンテナ。
【請求項６】
前記取付部が、１つ又は２つ以上の吸盤であることを特徴とする請求項５に記載の携帯電話機用アンテナ。
【請求項７】
前記アンテナ接続端子と前記アンテナエレメントとの接続にアンテナケーブルが使用され、そのアンテナケーブルの前記外部アンテナ部への連結箇所が、前記支持体であることを特徴とする請求項５又は６のいずれか１項に記載の携帯電話機用アンテナ。
【請求項８】
前記支持体が、前記アームを傾倒可能に支持すると共に軸線回りに回転可能に支持することを特徴とする請求項５〜７のいずれか１項に記載の携帯電話機用アンテナ。
【請求項９】
前記コネクタ部に、前記携帯電話機の充電を行う充電端子を設け、前記外部アンテナ部に、前記充電端子と電気的に接続される充電用コネクタを設け、該充電用コネクタに、充電器を電気的に接続して前記携帯電話機の充電を行うことを特徴とする請求項１〜８のいずれか１項に記載の携帯電話機用アンテナ。
【請求項１０】
前記コネクタ部に、前記携帯電話機の充電を行え得る充電端子を設け、前記支持体に、前記充電端子と電気的に接続される充電用コネクタを設け、該充電用コネクタに、充電器を電気的に接続して前記携帯電話機の充電を行うことを特徴とする請求項５〜８のいずれか１項に記載の携帯電話機用アンテナ。
【請求項１１】
前記アンテナ接続端子と前記アンテナエレメントとの接続に内部導体と編組を有するアンテナ同軸ケーブルが使用され、そのアンテナ同軸ケーブルの内部導体で前記アンテナ接続端子と外部アンテナ部とが電気的に接続され、前記充電端子がプラス端子とマイナス端子とからなり、前記充電用コネクタがプラス接続端子及びマイナス端子を有し、前記プラス端子と前記プラス接続端子とが前記アンテナ同軸ケーブルの内部導体で電気的に接続されると共に、前記マイナス端子と前記マイナス接続端子とが前記アンテナ同軸ケーブルの編組で電気的に接続されることを特徴とする請求項９又は１０に記載の携帯電話機用アンテナ。
【請求項１２】
前記アームの反射素子側の端部に、手で掴める支持体が設けられていることを特徴とする請求項４に記載の携帯電話機用アンテナ。
【請求項１３】
前記コネクタ部に、前記携帯電話機の充電を行え得る充電端子を設け、前記支持体に、前記充電端子と電気的に接続されて前記携帯電話機を充電する自己充電器を設けたことを特徴とする請求項１２に記載の携帯電話機用アンテナ。
【発明の詳細な説明】
【技術分野】
【０００１】  本発明は、送受信可能な距離を長くすることができる携帯電話機用アンテナに関するものである。
【背景技術】
【０００２】  近年、携帯電話機は、急速に老若男女多数の人に使用されており、技術の発達と共に、多数の機能、例えばメールやインターネット等の機能が備わったものとなっている。携帯電話機の送受信の感度も技術の発達と共に良好になってきているが、いまだ十分であるとはいえない。また、障害物、例えば建物等があると、その建物等によって電波シールドされて電波状況（感度）が悪くなることもある。携帯電話機の感度を良好にすると共に携帯電話機の送受信可能な範囲を広げる手段として携帯電話機用アンテナが知られている（例えば、特許文献１参照。）。【０００３】  携帯電話機用アンテナとしては、携帯電話機のインターフェイスコネクタに電気的に接続されるコネクタ部と、そのコネクタ部にアンテナケーブルを介して接続され、携帯電話機の送受信の感度を良好にする外部アンテナ部とからなるものがある。その外部アンテナ部を例えば窓ガラスに取り付けると共に、コネクタ部を携帯電話機のインターフェイスコネクタに電気的に接続することにより、携帯電話機の感度を良好な状態にすることが可能となる。
【特許文献１】特開２００１−６９２３０号公報
【発明の開示】
【発明が解決しようとする課題】
【０００４】  ところで、市販されている携帯電話機用アンテナの多くは、無指向性のアンテナであり、多方向において電波の送受信が可能となっている。この無指向性のアンテナは、アンテナがある位置を中心とすると送受信可能な範囲が略円形になるので、３６０°の方向において電波を同じように送受信できる。しかし、このような無指向性のアンテナは、特定の一方向における送受信可能な距離が短かいので、場所によっては電波を受信することができないこともある。【０００５】  そこで、本発明は、このような実情に鑑みなされたものであり、その目的は、送受信可能な距離を長くすることができる携帯電話機用アンテナを提供することにある。
【課題を解決するための手段】
【０００６】  前記の目的を達成するための本発明の携帯電話機用アンテナは、携帯電話機のインターフェイスコネクタに接続され、そのインターフェイスコネクタのアンテナ端子に電気的に接続されるアンテナ接続端子を有するコネクタ部と、前記アンテナ接続端子に電気的に接続されるアンテナエレメントを有する外部アンテナ部とを備えた携帯電話機用アンテナであって、前記アンテナエレメントが、導波素子、放射素子及び反射素子を有することを特徴とする。【０００７】  この発明によれば、アンテナエレメントが導波素子、放射素子及び反射素子を有するので、指向性のあるいわゆる八木アンテナを構成することができ、送受信可能な距離を長くすることができる。【０００８】  本発明の携帯電話機用アンテナにおいて、前記導波素子、前記放射素子及び前記反射素子が、１枚の基板にパターンニングされて形成されていることが好ましい。また、本発明の携帯電話機用アンテナにおいて、前記導波素子、前記放射素子及び前記反射素子が、それぞれ平板状に形成され、これら導波素子、放射素子及び反射素子が、導波素子と反射素子との間に放射素子が配置されると共に互いに略平行になるように配置されていることが好ましい。【０００９】  また、本発明の携帯電話機用アンテナにおいて、前記導波素子、前記放射素子及び前記反射素子が、それぞれ棒状の部材により形成され、これら導波素子、放射素子及び反射素子が、導波素子と反射素子との間に放射素子が配置されると共に互いに略平行になるように１本のアームに取り付けられていることが好ましい。【００１０】  また、本発明の携帯電話機用アンテナにおいて、前記アームの導波素子側の端部に、該アームを支持する支持体が設けられ、該支持体に、当該支持体を所望の箇所に取り付ける取付部が設けられていることが好ましい。また、本発明の携帯電話機用アンテナにおいて、前記取付部が、１つ又は２つ以上の吸盤であることが好ましい。また、本発明の携帯電話機用アンテナにおいて、前記アンテナ接続端子と前記アンテナエレメントとの接続にアンテナケーブルが使用され、そのアンテナケーブルの前記外部アンテナ部への連結箇所が、前記支持体であることが好ましい。また、本発明の携帯電話機用アンテナにおいて、前記支持体が、前記アームを傾倒可能に支持すると共に軸線回りに回転可能に支持することが好ましい。【００１１】  また、本発明の携帯電話機用アンテナにおいて、前記コネクタ部に、前記携帯電話機の充電を行う充電端子を設け、前記外部アンテナ部に、前記充電端子と電気的に接続される充電用コネクタを設け、該充電用コネクタに、充電器を電気的に接続して前記携帯電話機の充電を行うことが好ましい。また、本発明の携帯電話機用アンテナにおいて、前記コネクタ部に、前記携帯電話機の充電を行え得る充電端子を設け、前記支持体に、前記充電端子と電気的に接続される充電用コネクタを設け、該充電用コネクタに、充電器を電気的に接続して前記携帯電話機の充電を行うことが好ましい。【００１２】  また、本発明の携帯電話機用アンテナにおいて、前記アンテナ接続端子と前記アンテナエレメントとの接続に内部導体と編組を有するアンテナ同軸ケーブルが使用され、そのアンテナ同軸ケーブルの���部導体で前記アンテナ接続端子と外部アンテナ部とが電気的に接続され、前記充電端子がプラス端子とマイナス端子とからなり、前記充電用コネクタがプラス接続端子及びマイナス端子を有し、前記プラス端子と前記プラス接続端子とが前記アンテナ同軸ケーブルの内部導体で電気的に接続されると共に、前記マイナス端子と前記マイナス接続端子とが前記アンテナ同軸ケーブルの編組で電気的に接続されることが好ましい。【００１３】  また、本発明の携帯電話機用アンテナにおいて、前記アームの反射素子側の端部に、手で掴める支持体が設けられていることが好ましい。また、本発明の携帯電話機用アンテナにおいて、前記コネクタ部に、前記携帯電話機の充電を行え得る充電端子を設け、前記支持体に、前記充電端子と電気的に接続されて前記携帯電話機を充電する自己充電器を設けることが好ましい。
【発明の効果】
【００１４】  以上説明したように、本発明の携帯電話機用アンテナによれば、アンテナエレメントが導波素子、放射素子及び反射素子を有するので、指向性のあるアンテナを構成することができ、送受信可能な距離を長くすることができる。
【発明を実施するための最良の形態】
【００１５】  以下、本発明の携帯電話機用アンテナを添付図面に基づいて詳述する。
図１は本発明の第１の携帯電話機用アンテナの一例を示す斜視図である。本発明の第１の携帯電話機用アンテナは、図１に示すように、携帯電話機２のインターフェイスコネクタ２５（図９〜図１１参照）に嵌合されて、インターフェイスコネクタ１５のアンテナ端子２６（図９〜図１１参照）に電気的に接続されるアンテナ接続端子１６（図１１参照）を有するコネクタ部３と、そのコネクタ部３のアンテナ接続端子１６にアンテナケーブルを介して電気的に接続されるアンテナエレメント９（図１１参照）を有する外部アンテナ部５とを備えている。【００１６】  本発明の携帯電話機用アンテナを適用することができる携帯電話機２としては、機種によっていろいろな形状のものがあり特に限定されず、ストレートタイプのものであっても二つ折りタイプのものであってもどちらでもよい。この携帯電話機２の端面の略中央部には、アンテナの接続、通信データの送受信、内蔵されている充電可能な内蔵電池（バッテリー）の充電等を行えるようにインターフェイスコネクタ２５が設けられている。【００１７】  インターフェイスコネクタ２５は、メス型のコネクタであり、その形状は、携帯電話機２が利用する方式によって異なる。携帯電話機２の主な方式は、ＦＯＭＡ（Ｆｒｅｅｄｏｍ  Ｏｆ  Ｍｏｂｉｌｅ  ｍｕｌｔｉｍｅｄｉａ  Ａｃｃｅｓｓ）と、ＰＤＣ（Ｐｅｒｓｏｎａｌ  Ｄｉｇｉｔａｌ  Ｃｅｌｌｕｌａｒｓｙｓｔｅｍ）と、ＣＤＭＡ（Ｃｏｄｅ  Ｄｉｖｉｓｉｏｎ  Ｍｕｌｔｉｐｌｅ  Ａｃｃｅｓｓ）と、があり、これらの３つの方式を利用した携帯電話機のインターフェイスコネクタは嵌合形状がそれぞれ異なるが、本実施の形態では、特に限定せずに説明する。【００１８】  インターフェイスコネクタ２５には、多数のコネクタ端子を有する端子部２７（図９〜図１１参照）が設けられていると共に、アンテナ端子２６が設けられている。アンテナ端子２６は、通常１つまたは２つであり、図示例では１つである。インターフェイスコネクタ２５は、未使用時、ゴミ等が入らないようにカバー（図示せず）が装着されている。このインターフェイスコネクタ２５にコネクタ部３が嵌合されて接続されている。【００１９】  コネクタ部３は、携帯電話機２のインターフェイスコネクタ２５に挿入されて嵌合されるオス型の接続コネクタ１０（図５、図９〜図１１参照）を有する。接続コネクタ１０は、同一方式例えばＦＯＭＡの各機種別の携帯電話機２のインターフェイスコネクタ２５に適合できる互換性のあるオス型のコネクタであって、断面略細長の矩形状に形成されている。接続コネクタ１０には、嵌合されるインターフェイスコネクタ２５のアンテナ端子２６に対応した数（例えば１つ又は２つ図示例では１つ）のアンテナ接続端子１６が設けられている。【００２０】  接続コネクタ１０を形成する４つの壁部のうち幅の長い２つの壁部（長壁部ということがある。）には、インターフェイスコネクタ２５の対応する内壁とそれぞれ嵌合し得るように溝や突条（突出した部分）が複数設けられている。すなわち、接続コネクタ１０をインターフェイスコネクタ２５に挿入して嵌合するとき、長壁部を逆に（接続コネクタ１０の上下左右を逆に）挿入しようとしても、挿入できないような形状に長壁��が形成されている。【００２１】  接続コネクタ１０には、インターフェイスコネクタ２５に挿入したとき、接続コネクタ１０がインターフェイスコネクタ２５から抜け難くする抜出抑制部１１（図５参照）が設けられていることが好ましい。この抜出抑制部１１はコネクタ部３に設けられている操作部１２によって操作されて接続コネクタ１０のインターフェイスコネクタ２５への脱着が容易に行えるようになっていることが好ましい。【００２２】  抜出抑制部１１は、例えば、接続コネクタ１０の残りの２つの壁部（短壁部ということがある）に、インターフェイスコネクタ２５を形成する内壁又は内壁に設けられた係合部と係合して接続コネクタ１０を係止する係止部をそれぞれ一体的に又は個別に設けて構成されていてもよい。【００２３】  接続コネクタ１０に一体的に設けられる係止部としては、例えば、嵌合方向に延び、短壁部の内部に可撓可能に形成される係止部本体と、この係止部本体の外表面に設けられ、例えば断面略半円状に形成された突部（係合突部）とからなるもの等が挙げられる。この係止部は、接続コネクタ１０をインターフェイスコネクタ２５に挿入して嵌合したとき、突部がインターフェイスコネクタの内壁の係合部と係合して接続コネクタ１０がインターフェイスコネクタ２５から抜け難くするものである。【００２４】  抜出抑制部１１としては、前記の係止部の他に接続コネクタ１０の２つの短壁部に設けられたスリットであってもよい。この場合、接続コネクタ１０の短壁部の幅（短壁部の厚さ方向の長さ）は、接続コネクタ１０をインターフェイスコネクタ２５に挿入して嵌合したときに、対向するインターフェイスコネクタ２５の内壁の幅より若干長い寸法で形成されていることが好ましい。スリットは、接続コネクタ１０の短壁部の幅を弾性変形により短くするものであり、スリットの幅は、短壁部の幅を弾性変形によりインターフェイスコネクタ２５に挿入し得る範囲から任意に決められる。【００２５】  外部アンテナ部５は、コネクタ部３のアンテナ接続端子１６にアンテナケーブルを介して電気的に接続されているアンテナエレメント９を有する。アンテナケーブルとしては、特に限定されず、例えば、内部導体上に絶縁層を有する同軸ケーブルや編組等の外部導体を有する同軸ケーブル（内部導体上に絶縁層を介して例えば編組が設けられてなる同軸ケーブル）等が挙げられ、内部導体と編組を有するアンテナ同軸ケーブル４が特に好ましい。本実施の形態ではアンテナケーブルとしてアンテナ同軸ケーブル４を用いた場合について説明する。アンテナ同軸ケーブル４は、携帯電話機２のアンテナ端子２６の数に応じた本数のケーブルからなり、図１に示す例では１本のケーブルからなる。【００２６】  アンテナエレメント９は、携帯電話機２の送受信の感度を良好にするものである。本発明の携帯電話機用アンテナは、アンテナエレメント９が導波素子６、放射素子７及び反射素子８を有することに特徴がある。【００２７】  これらの導波素子６、放射素子７及び反射素子８は、例えば、図１（及び図２〜図５）に示すように、アーム２１に互いに平行に間隔をあけて取り付けられている。アーム２１は、金属、樹脂等により例えば略直線のパイプ状又は棒状に形成されている。導波素子６、放射素子７及び反射素子８は、例えば棒状（パイプ状を含む）の金属部材により形成されている。導波素子６、放射素子７及び反射素子８は、それぞれ同じ金属部材で形成されてもよいし、素子毎に異なる金属材料で形成されていてもよい。【００２８】  導波素子６は、電波を強めながら（電波を受けると電波を強めて）放射素子７に送り込む作用を奏するものであり、アーム２１の一端部（第１端部ということがある。）側に取り付けられている。導波素子６は、電波を強めながら放射素子７に送り込む作用を奏するならばその長さは特に限定されないが、例えば、λ／２よりやや短い寸法で形成されていることが好ましい。【００２９】  導波素子６は、具体的には例えば、アーム２１の周面の対向する２箇所に取り付けられている２本の（一対の）導波素子部６０、６０により形成されていることが好ましい。２本の導波素子部６０、６０は、アーム２１の軸と略直交する方向であって略同軸上すなわち同一直線上（略同一直線上も含む）にそれぞれ延びている。これらの２本の導波素子部６０、６０は、２本の導波素子部６０、６０で１本の導波素子６が構成されるように形成されている。なお、１本の導波素子部６０だけで導波素子６が構成されるようにしてもよい。また、１本の導波素子の略中央部が取付金具等を介してアーム２１に取り付けられるようにしてもよい。導波素子６は、電波を強めながら放射素子７に送り込む作用を奏するならばその本数は特に限定されないが、２本以上であることが好ましく、例えば図示のように３本である。これらの３本の導波素子６は、アーム２１の一端部近傍から所定の間隔を空けて互いに略平行となるようにアーム２１に取り付けられている。導波素子６の長さは、図示するように同じ寸法で形成されてもよいし、個別に異なった寸法で形成されてもよい。【００３０】  反射素子８は、電波を導波素子６及び放射素子７に送り返す作用を奏するもので、アーム２１の他端部（第２端部ということがある。）の近傍に取り付けられている。反射素子８は、電波を導波素子６及び放射素子７に送り返す作用を奏するならばその長さは特に限定され長いが、例えば、λ／２より少し長い寸法で形成されていることが好ましい。【００３１】  反射素子８は、具体的には例えば、アーム２１の周面の対向する２箇所に取り付けられている２本の（一対の）反射素子部８０、８０により形成されていることが好ましい。２本の反射素子部８０、８０は、アーム２１の軸と略直交する方向であって略同軸上すなわち同一直線上（略同一直線上も含む）にそれぞれ延びている。これらの２本の反射素子部８０、８０は、２本の反射素子部８０、８０で１本の反射素子８が構成されるように形成されている。なお、１本の反射素子部８０だけで反射素子８が構成されるようにしてもよい。また、１本の反射素子の略中央部が取付金具等を介してアーム２１に取り付けられるようにしてもよい。また、反射素子８は、図示例ではアーム２１に１本取り付けられているが、これに限定されず、２本以上所定の間隔を空けてアーム２１に取り付けるようにしてもよい。この場合、２本以上の反射素子は、それぞれの長さが同じでも異なってもどちらでもよい。【００３２】  ���射素子７は、例えば、アンテナ同軸ケーブル４の内部導体に給電線等を介して電気的に接続されて、当該素子７から電波を放射したり、または電波を取り込んだりするものであり、導波素子６と反射素子８との間のアーム２１に取り付けられている。すなわち、放射素子７の前後に導波素子６と反射素子８とが配置されて、指向性に優れたビームアンテナ、例えばいわゆる八木アンテナを構成することができる。これらの放射素子７、導波素子６及び反射素子８は、略同一平面上で互いに平行となるようにアーム２１に取り付けられているが、アンテナとしての指向性に優れるならばこれに限定されることはない。【００３３】  放射素子７は、電波を放射したり、または電波を取り込んだりすることができればその形状は特に限定されず例えばほぼ直線状に形成されていてもよいし、図示するように細長のリング状に形成されていてもよい。放射素子７は、具体的には例えば、２つの（一対の）略Ｕ字状の放射素子部７０、７０により形成されている。これらの放射素子部７０、７０は、アーム２１の周面にそれぞれ対向するように取り付けられている。すなわち、２つの放射素子部７０、７０は、アーム２１の軸と略直交する方向であって互いに対向するようにそれぞれ延びている。これらの２つの放射素子部７０、７０は、２つの放射素子部７０、７０で１つの放射素子７が構成されるように形成されている。なお、１つの放射素子部７０だけで放射素子７が構成されるようにしてもよい。また、１本のリング状の放射素子の略中央部が取付金具等を介してアーム２１に取り付けられるようにしてもよい。また、放射素子７は、図示例ではアーム２１に１本取り付けられているが、これに限定されず、２本以上所定の間隔を空けてアーム２１に取り付けるようにしてもよい。この場合、２本以上の放射素子は、それぞれの長さが同じでも異なってもどちらでもよい。【００３４】  アーム２１の第１端部には、アームを支持する支持体３１が設けられている。支持体３１は、アンテナ同軸ケーブル４の端部や必要に応じて基板が収容されるものであり、例えば、略円柱箱状や略矩形箱状等に形成されている。支持体３１のアーム２１が支持されている（取り付けられている）箇所とは反対側の箇所には、外部アンテナ部５を所望の箇所例えば窓ガラス１００等に取り付けるための取付部４１が設けられていることが好ましい。【００３５】  取付部４１は、アーム２１が取り付けられた支持体３１を取り付けることができれば特に限定されず、両面粘着テープ等の粘着テープや粘着剤などの粘着層等でもよいし、図１に示すように吸盤４２でもよい。吸盤４２としては、特に限定されないが、所望の箇所に吸盤４２を取り付けた後にこの吸盤４２を容易に取り外せる摘み部４３が設けられているものが好ましい。【００３６】  吸盤４２の数としては、支持体３１を十分に取り付けることができれば特に限定されず、図１及び図２に示すように１つでも、図３及び図６に示すように２つ以上でもよい。吸盤４２が３つの場合には、図６に示すように、支持体３１に略正三角形状の吸盤取付脚部４５を設け、この吸盤取付脚部４５の３つの角部近傍に吸盤４２をそれぞれ取り付けられていることが好ましい。このように取付部４１��設けることにより、外部アンテナ部５を常に同じ位置に位置させることができるので、携帯電話機２の感度を常に同じ状態例えば良好な状態に維持することが可能となる。また、取付部４１として吸盤４２を用いることにより、外部アンテナ部５を所望の箇所に着脱自在に取り付けることができる。【００３７】  支持体３１は、アーム２１を固定した状態で支持するものでもよいが、図１（図２、図３及び図６）に示すように、アーム２１を傾倒可能に支持すると共に軸線回りに回転可能に支持するものであることが好ましい。すなわち、アーム２１は、アーム２１の方向性（すなわちアンテナエレメント９である導波素子６、放射素子７及び反射素子８による電波の送受信の方向性）が可変できると共にアーム２１が軸線回りに回転できるように支持体３１に支持されていることが好ましい。アーム２１の支持は、具体的には例えば、アーム２１の方向性、回転、旋回が自由に調節できる球面軸受やボールベアリング等、例えば球面軸受を用いて行うことが好ましい。アーム２１の支持は、例えば、アームの第１端部が接続されている球状部３３と、支持体３１に設けられ、球状部３３を球面支持する支持部３４とからなる球面軸受によって行われる。【００３８】  また、支持体３１には、アンテナ同軸ケーブル４が接続されていることが好ましい。すなわち、アーム２１の第１端部に、携帯電話機２に接続するためのアンテナ同軸ケーブル４が接続されている。また、アンテナ同軸ケーブル４の接続箇所は、実際のアーム２１の導波素子６側の端部でもその端部近傍でもよい。【００３９】  図２は本発明の第２の携帯電話機用アンテナの一例を示す図である。図３及び図９は本発明の第２の携帯電話機用アンテナの他の例を示す図である。本発明の第２の携帯電話機用アンテナは、図２に示すように、前述の本発明の第１の携帯電話機用アンテナにさらに携帯電話機２を充電する充電用コネクタ３６が設けられていることに特徴がある。充電用コネクタ３６は、アンテナ同軸ケーブル４の途中に設けられていてもよいが、外部アンテナ部５、例えば支持体３１等に設けられていることが好ましい。なお、充電用コネクタをアンテナ同軸ケーブル４に設ける場合には、アンテナ同軸ケーブル４の例えば略中間に略矩形箱状等のコネクタ接続体を設けて、このコネクタ接続体に充電用コネクタを設けることが好ましい。【００４０】  充電用コネクタ３６は、充電器のオス型充電コネクタが嵌合されて接続されるメス型のコネクタである。充電用コネクタ３６は、オス型充電コネクタの形状に応じて形成されていることが好ましく、例えば、オス型充電コネクタ５０が断面略細長の矩形状に形成されてインターフェイスコネクタ２５に嵌合される場合には、そのオス型充電コネクタ、例えば、純正の専用充電器のオス型充電コネクタ５０が嵌合し得るように略細長の矩形状に窪んだ凹状に形成されている（図１０参照）。また、オス型充電コネクタがＤＣプラグである場合には、充電用コネクタは、そのオス型充電コネクタ１５５が嵌合し得るように略円形状に窪んだ凹状に形成されている（図１１参照）。【００４１】  インターフェイスコネクタ２５に嵌合され得るオス型充電コネクタ５０を有する充電器は、本発明の携帯電���機用アンテナが接続される携帯電話機２を充電することができれば特に限定されず、例えば、その携帯電話機２に附属されている純正の専用充電器（充電アダプタ５４ということがある。）、ＡＣＤＣ変換アダプタ、充電池、携帯電話機用外付ケース、車載プラグを有する車載アダプタ等が挙げられる。【００４２】  充電アダプタ５４は、オス型充電コネクタ５０と、プラグ５７を有するアダプタ本体５５と、電源ケーブル５６と、からなるものである。ＡＣＤＣ変換アダプタは、オス型充電コネクタを有するものであれば特に限定されない。充電池は、使いきりタイプのものであり、オス型充電コネクタを有するものであれば特に限定されない。携帯電話機用外付ケースは、オス型充電コネクタを有し、交換可能な市販されたりしている１次電池及び２次電池を供給電源とするものである。車載アダプタは、オス型充電コネクタと車のシガレットプラグ等に電気的に接続可能な車載プラグとを有するものである。【００４３】  また、ＤＣプラグであるオス型充電コネクタ１５５（図１１参照）を有する充電器は、本発明の携帯電話機用アンテナが接続される携帯電話機２を充電することができれば特に限定されず、例えば、ＡＣＤＣ変換アダプタ１５６（図１１参照）等が挙げられる。【００４４】  充電用コネクタ３６には、プラス接続端子１２１（図９参照）とマイナス接続端子１２２（図９参照）とが設けられている。これら接続端子１２１、１２２は、例えば充電アダプタ５４のオス型充電コネクタ５０が充電用コネクタ３６に嵌合されて接続されたとき、そのオス型充電コネクタ５０のプラス充電端子１５１（図９参照）及びマイナス充電端子１５２（図９参照）と電気的に接続されるように配置されている。また、プラス接続端子１２１及びマイナス接続端子１２２は、充電ケーブル５３に電気的に接続されている。【００４５】  充電ケーブル５３は、図２及び図３に示すように、アンテナ同軸ケーブル４とは別体のケーブルであってもよい。この場合、充電ケーブル５３とアンテナ同軸ケーブル４とを固着して１つの接続ケーブルとして形成することが好ましい。充電ケーブル５３としては、特に限定されず、導体が絶縁層に被覆された２つの電線からなるものでもよいし、内部導体とその内部導体上に絶縁層を介した外部導体例えば編組とからなる同軸ケーブルでもよい。図２及び図３に示す充電ケーブルは、同軸ケーブルを用いた場合であり、この場合、内部導体と編組とにより充電用コネクタ３６のプラス接続端子１２１とマイナス接続端子１２２とがコネクタ部３のプラス端子１３１（図９参照）とマイナス端子１３２（図９参照）とに電気的に接続される。【００４６】  プラス端子１３１及びマイナス端子１３２は、接続コネクタ１０を携帯電話機２のインターフェイスコネクタ２５に嵌合して接続したときに、インターフェイスコネクタ２５の任意のコネクタ端子（給電端子）に電気的に接続されて内蔵電池の充電が行え得るように接続コネクタ１０に配置されている。充電用コネクタ３６、充電ケーブル５３及び接続コネクタ１０により、充電器の延長ケーブルを構成するものであり、アンテナ機能と携帯電話機２の充電とがそれぞれ別個のケーブルを介して行われる。なお、図２に示す本発明の第２の携帯電話機用アンテナ５１と図３に示す本発明の第２の携帯電話機用アンテナ５２との違いは、吸盤４２の数が１つか２つかの違いだけで、その他の構成は同じである。【００４７】  図９に示す本発明の第２の携帯電話機用アンテナ１６０は、充電ケーブルを別途設けることなくアンテナ同軸ケーブル４０を充電ケーブルとして兼用した一例を示すものである。すなわち、充電ケーブルは、図９に示すように、アンテナ同軸ケーブル４０の内部導体１４１や編組１４２を利用するようにしてもよい。例えば、アンテナ同軸ケーブル４０の内部導体１４１により充電用コネクタ３６のプラス接続端子１２１とコネクタ部３のプラス端子１３１とを電気的に接続すると共に、アンテナ同軸ケーブル４０の編組１４２により充電用コネクタ３６のマイナス接続端子１２２とコネクタ部３のマイナス端子１３２とを電気的に接続するようにしてもよい。この場合、充電用コネクタ３６及びコネクタ部３にそれぞれ保護部１８０、１７０が設けられていることが好ましい。【００４８】  保護部１８０、１７０は、直流がプラス接続端子１２１及びプラス端子１３１に流れるのを防止すると共に、高周波がマイナス接続端子１２２及びマイナス端子１３２に流れるのを防止するためのものである。【００４９】  コネクタ部３側の保護部（第１保護部）１７０は、例えば、交流阻止線輪１７１と直流素子コンデンサ１７２と交流側路コンデンサ１７３とから構成されていることが好ましい。すなわち、例えば、アンテナ同軸ケーブル４０の内部導体１４１には、プラス端子１３１とアンテナ接続端子１６とが分岐点１７４を介して電気的に接続され、このプラス端子１３１と分岐点１７４との間に交流阻止線輪１７１（高周波チョークコイルということがある。）が設けられており、プラス端子１３１に高周波が流れないようになっている。また、アンテナ接続端子１６と分岐点１７４との間には、直流素子コンデンサ１７２（直流カットコンデンサということがある。）が設けられており、直流がアンテナ接続端子１６に流れないようになっている。これにより、携帯電話機２では直流が逆流しないようになっている。【００５０】  アンテナ同軸ケーブル４０の編組１４２には、アンテナＧＮＤ端子１７とマイナス端子１３２とが接続されている。このマイナス端子１３２と編組１４２とを電気的に接続する第１導線１７６と、交流阻止線輪１７１とプラス端子１３１とを電気的に接続する第２導線１７７とが、交流側路コンデンサ１７３（高周波バイパスコンデンサということがある。）を介して電気的に接続されており、高周波が交流阻止線輪１７１とプラス端子１３１との間に流れた場合には第１導線１７６及び第２導線１７７にバイパスされるようになっている。このように、第１保護部１７０を構成することにより、直流がアンテナ同軸ケーブル４０の内部導体１４１からプラス端子１３１にのみ流れると共に、高周波はアンテナ接続端子１６とアンテナ同軸ケーブル４０の内部導体１４２間を流れることになる。【００５１】  充電用コネクタ３６側の保護部（第２保護部）１８０は、例えば、交流阻止線輪１８１と交流側路コンデンサ１８２とから構成されていることが好ましい。すなわち、例えば、アンテナ同軸ケ��ブル４０の内部導体１４１には、アンテナエレメント９と充電用コネクタ３６のプラス接続端子１２１とが分岐点１８３を介して電気的に接続され、このプラス接続端子１２１と分岐点１８３との間に交流阻止線輪１８１（高周波チョークコイルということがある。）が設けられており、プラス接続端子１２１に高周波が流れないようになっている。【００５２】  アンテナ同軸ケーブル４０の編組１４２には、外部アンテナ部５の例えば基板等にグランドとして接続されていると共に充電用コネクタ３６のマイナス接続端子１２２が接続されている。このマイナス接続端子１２２と編組１４２とを電気的に接続する第３導線１８５と、交流阻止線輪１８１とプラス端子１２１とを電気的に接続する第４導線１８６とが、交流側路コンデンサ１８２（高周波バイパスコンデンサということがある。）を介して電気的に接続されており、高周波が交流側路コンデンサ１８２とプラス端子１２１との間に流れた場合には第３導線１８５及び第４導線１８６にバイパスされるようになっている。また、交流側路コンデンサ１８２と第３導線１８５との間と、交流側路コンデンサ１８２が接続された箇所よりプラス接続端子１１１側の第３導線１８５との間には、ダイオード１８８が電気的に接続されていてもよい。また、交流側路コンデンサ１８２と第３導線１８５との間であって、ダイオード１８８が電気的に接続されている箇所よりマイナス接続端子１２２側には、ヒューズ１８９が設けられていてもよい。このように、第２保護部１８０を構成することにより、直流がアンテナ同軸ケーブル４０の内部導体１４２に流れると共に、高周波がアンテナエレメント９とアンテナ同軸ケーブル４０の内部導体１４１間を流れることになる。【００５３】  なお、アンテナ同軸ケーブル４０の内部導体１４１で充電用コネクタ３６のプラス接続端子１２１とコネクタ部３のプラス端子１３１とを電気的に接続したが、編組１４２でプラス接続端子１２１とプラス端子１３１とを電気的に接続するようにしてもよい。この場合、内部導体１４１でマイナス接続端子１２２とマイナス端子１３２とを電気的に接続するようにする。【００５４】  充電用コネクタ３６が設けられた外部アンテナ部５には制御部（図示せず）が設けられていることが好ましい。制御部は、例えば、プラス接続端子１２１と電源ケーブルの導体とをダイオードを用いて接続して構成してもよい。ダイオードはプラス接続端子１２１及び電源ケーブルの導体に例えば半田付けにより接続される。これにより、充電用コネクタ３６に無理矢理、充電器のオス型充電コネクタを上下左右逆に接続しても電流が流れないようになる、すなわち逆流防止が図られることになる。【００５５】  また、制御部は、プラス接続端子１２１が接続される電源ケーブル（導体等）とマイナス接続端子１２２が接続される電源ケーブル（導体等）とを抵抗を用いて接続して構成してもよい。また、制御部は、ダイオードの他に、ダイオードと電源ケーブルとの間に、携帯電話機２に過負荷の電流が流れないようにヒューズを設けてもよい。なお、制御部は、ダイオードのみであってもよいし、ダイオードと抵抗との組み合わせ、又はダイオードとヒューズとの組み合わせでもよいし、勿論、ダイオード、抵抗及びヒューズから構成してもよい。【００５６】  また、制御部は、充電器からの出力電圧が携帯電話機２の充電許容電圧以外のときその充電許容電圧に調節する調節回路（図示せず）を有することが好ましい。調節回路は、具体的には例えば、携帯電話機２の内蔵電池の電圧が５．３Ｖである場合には、出力電圧が６．０Ｖ〜６．８Ｖの充電許容電圧以外のときにその６．０Ｖ〜６．８Ｖの充電許容電圧となるようにするものであり、どのように構成してもよい。【００５７】  また、本発明の第２の携帯電話機用アンテナ５１、５２、１６０においては、外部アンテナ部５、例えば支持体３１等にＬＥＤ等の点灯器（図示せず）を設けて、携帯電話機２が充電中にのみ点灯するようにしてもよい。【００５８】  図４は本発明の第３の携帯電話機用アンテナの一例を示す図である。図５は本発明の第３の携帯電話機用アンテナの他の例を示す図である。本発明の第３の携帯電話機用アンテナは、図４及び図５に示すように、前述の本発明の第１の携帯電話機用アンテナを手で掴んでその外部アンテナ部を所望の方向に向ける（位置決めする）ようにしたものである。【００５９】  第３の携帯電話機用アンテナ９１は、例えば、図４に示すように、アーム２１の反射素子８側の端部が手で掴めることができる長さ延出されるように掴み部９４が設けられているものである。この場合、ケーブル４は、アーム２１の掴み部９４の延出先端部に連結されていることが好ましい。【００６０】  また、第３の携帯電話機用アンテナ９２は、図５に示すように、アーム２１の第２端部にアーム２１を固定した状態で支持する支持体９５が取り付けられてなるものでもよい。その支持体９５は手で掴み易いような形状に形成されていることが好ましい。支持体９５には前述のように充電用コネクタを設けてもよいが、充電用コネクタの代わりに自己発電機を設けてもよい。自己発電機としては、自己発電により携帯電話機２の充電を行えるならば特に限定されず、例えば、紐等の長尺部材を引張ることによりロータやステータ等が回転して発電が行えるもの等が挙げられる。【００６１】  図７は本発明の第４の携帯電話機用アンテナの一例を示す図である。図８は本発明の第４の携帯電話機用アンテナの他の例を示す図である。本発明の第４の携帯電話機用アンテナは、図７及び図８に示すように、導波素子１０７、放射素子１０８及び反射素子１０９が１枚の基板１１５にパターンニング（配線）されて形成されているものである。基板１１５の形状は、特に限定されないが、各素子が設けられている箇所がそれぞれ突出する櫛形状に形成されていてもよい。【００６２】  第４の携帯電話機用アンテナ１０３は、例えば、図７に示すように、導波素子１０６、放射素子１０７及び反射素子１０８が１枚の基板１１５に配線されてアンテナエレメント１１１が構成されているものである。基板１１５の略中央部の導波素子１０６側の一部が挟持されるようにアーム１１６で支持され、このアーム１１６の導波素子１０６側端部が前記の支持体３１により支持されている。すなわち、アーム１１６の端部に球状部３３が設けられ、この球状部３３が支持部３４に球面支持されている。この第４の携帯電話機用アンテナ１０３は、第���の携帯電話機用アンテナ及び第２の携帯電話機用アンテナのアンテナエレメントを１枚の基板１１５で構成したものであり、前述と同様に取付部４１によって所望の箇所例えば窓ガラス等に支持体３１すなわちアンテナエレメント１１１を取り付けることができる。【００６３】  また、第４の携帯電話機用アンテナ１０４は、例えば、図８に示すように、導波素子１０６、放射素子１０７及び反射素子１０８が１枚の基板１１５に配線されてアンテナエレメント１１２が構成され、その基板１１５の略中央部の反射素子１０８側の一部が挟持されるようにアーム１１７で支持され、このアーム１１７の反射素子１０８側端部が手で掴めることができる長さ延出されていると共に手で掴みやすいように湾曲されてなるものでもよい。すなわち、この第４の携帯電話機用アンテナ１０４は、第３の携帯電話機用アンテナのアンテナエレメントを１枚の基板１１５で構成したものである。【００６４】  図１０は本発明の第５の携帯電話機用アンテナの一例を示す図である。図１１は本発明の第５の携帯電話機用アンテナの他の例を示す図である。本発明の第５の携帯電話機用アンテナは、導波素子、放射素子及び反射素子が平板状に形成されて図１０及び図１１に示す外部アンテナボックス１９５に収容されているものである。導波素子、放射素子及び反射素子は、平板状に形成され、その形状は、矩形状、円形状、楕円形状、三角形状、多角形状等特に限定されないが、矩形状であることが好ましい。導波素子、放射素子及び反射素子は、その特性が最適となるように矩形の形及び大きさが選定されることが好ましい。すなわち、導波素子、放射素子及び反射素子は、同一ではなくそれぞれ異なる矩形状に形成されていることが好ましい。導波素子、放射素子及び反射素子は、導波素子と反射素子との間に放射素子が配置されると共に互いに略平行になるように例えば絶縁部材を介して配置される。この状態で導波素子、放射素子及び反射素子が外部アンテナボックス１９５に収容されている。【００６５】  外部アンテナボックス１９５は、平板状の導波素子、放射素子及び反射素子を収容することができれば特に限定されず、例えば、矩形箱状に形成されている。この外部アンテナボックス１９５の導波素子の近傍の面に前記取付部４１が設けられ、図１０及び図１１に示すように、外部アンテナボックス１９５を窓ガラス１００の所望の位置に取り付けることができる。【００６６】  すなわち、第５の携帯電話機用アンテナ１９１、１９２は、第１の携帯電話機用アンテナ及び第２の携帯電話機用アンテナの導波素子、放射素子及び反射素子を平板状に形成して外部アンテナボックス１９０に収容して構成したものである。図１０に示す第５の携帯電話機用アンテナ１９１は、携帯電話機２を充電するための充電用コネクタ３６が例えば充電アダプタ５５のオス型充電コネクタ５０が嵌合されて接続される略細長の矩形状に窪んだ凹状に形成されている例である。図１１に示す第５の携帯電話機用アンテナ１９２は、携帯電話機２を充電するための充電用コネクタ３７がＤＣプラグであるオス型充電コネクタ１５５が嵌合されて接続される略円形状に窪んだ凹状に形成されている例である。これら第５の携帯電話機用アンテナ��９１、１９２は、図示するように、いずれも充電ケーブルを別途設けることなくアンテナ同軸ケーブル４０を充電ケーブルとして兼用したものであるが、これに限定されるものではない。また、外部アンテナボックス１９５が実質的に外部アンテナ部である。【００６７】  次に、本発明の携帯電話機用アンテナの作用を説明する。
外部アンテナ部５及び外部アンテナボックス１９５を図１〜図３、図１０及び図１１に示すように例えば窓ガラス１００の所望の個所（携帯電話機２の受信感度が良好になる個所）に吸盤４２や粘着層等により取り付けると共に、コネクタ部３を携帯電話機２のインターフェイスコネクタに挿入して嵌合する。なお、外部アンテナ部５及び外部アンテナボックス１９５は、窓ガラス１００等に予め取り付けておいてもよい。【００６８】  また、携帯電話機２の送受信を行う波長は通常垂直偏波であるので、外部アンテナ部５を取り付けるときには、各素子６、７、８が垂直面と平行になるようにすることが好ましい。このとき、アーム２１が支持体３１に例えば球面軸受を介して支持されている場合には、支持体３１を例えば窓ガラス１００に取り付けてから各素子６、７、８が垂直面と平行になるようにアーム２１の位置決めを行うようにしてもよい。すなわち、アーム２１（外部アンテナ部５）の方向性（すなわちアンテナエレメント９である導波素子６、放射素子７及び反射素子８による電波の送受信の方向性）を変えたり、アーム２１（外部アンテナ部５）を旋回させたり軸線回りに回転させたりして、携帯電話機２の送受信の感度が良好になるようにアーム２１の位置決めを行う。つまり、外部アンテナ部５の方向を決める。【００６９】  なお、本発明の第３の携帯電話機用アンテナ９１、９２の場合には、アーム２１の掴み部９４や支持体９５を手で掴んで、外部アンテナ部５の方向を決める。【００７０】  窓ガラス１００に取り付けられたりしてアーム２１の方向等が位置決めされた外部アンテナ部５は、アンテナエレメントが導波素子６、放射素子７及び反射素子８を有するため、指向性のある例えばいわゆる八木アンテナを構成することができる。具体的には、放射素子７の前後に導波素子６と反射素子８とが配置されることで、指向性に優れたビームアンテナ、例えばいわゆる八木アンテナが構成され、携帯電話機２の送受信可能な距離が長くなる。【００７１】  したがって、本発明の携帯電話機用アンテナ１、５１、５２、９１、９２、１０３、１０４、１６０、１９１、１９２は、携帯電話機２の送受信可能な距離を長くすることができる。このため、これにより、【００７２】  また、外部アンテナ部５は、指向性に優れているため、この指向性の方向に障害物等があると、携帯電話機２の送受信の感度が良好な状態にならない場合がある。この場合には、外部アンテナ部５の取付位置を変えてもよいが、アーム２１が支持体３１に例えば球面軸受を介して支持されている場合には、アーム２１（各素子）を旋回させたり回動させたり方向を変えたりして、感度が良好な状態を調べる。そして、感度が良好な状態がみつかったらアーム２１をその状態に維持する。これにより、携帯電話機２の送受信の感度が良好な状態に維持することができる。【００７３】  外部アンテナ部５の取付位置は、例えば窓１００のなかでも建物等の障害物がない又は少ない箇所であることが好ましく。また、外部アンテナ部５は、アーム２１の第２端部から第１端部の方向に指向性があるので、アーム２１の第１端部側に取付部４１が設けられていることで、一層容易に携帯電話機２の感度を良好な状態に維持することができる。【００７４】  また、外部アンテナ部５等に充電用コネクタ３６、３７が設けられている場合には、図２、図３、図９〜図１１に示すように、充電器、例えば、本発明の外部アンテナ部５を接続した携帯電話機２に附属している充電アダプタ５５のオス型充電コネクタ５０を充電用コネクタ３６につき合わせ、オス型充電コネクタ５０を充電用コネクタ３６内に挿入して（差し込んで）嵌合する。この充電アダプタ５５のプラグ５７をコンセント５８に挿入して電気的に接続することにより、携帯電話機２の内蔵電池（バッテリー）の充電が行われる。【００７５】  従って、本発明の第２、第５の携帯電話機用アンテナ５１、５２、１６０、１９１、１９２は、携帯電話機２の送受信可能な距離を長くすることができると共に携帯電話機２の充電も行えることになる。このため、携帯電話機用アンテナ５１、５２、１６０、１９１、１９２を接続している状態で通話しているときに、電池切れを起こした場合には、充電用コネクタ３６、３７に例えば充電アダプタ５５等を電気的に接続することにより、携帯電話機２の送受信の感度を良好にしたまま携帯電話機２の充電も行え、移動することなくその場所で通話を行える。なお、携帯電話機２に本発明の第２、第５の携帯電話機用アンテナ５１、５２、１６０、１９１、１９２を接続しているときに、充電用コネクタ３６、３７に充電アダプタ５５等を接続しておけば、携帯電話機２の充電が行われるので、携帯電話機２が電池切れを起こすこともない。【００７６】  本発明の第２、第５の携帯電話機用アンテナ５１、５２、１６０、１９１は、特に、充電用コネクタ３６、充電ケーブル５３及び接続コネクタ１０により、充電器の延長ケーブルとしても構成されているため、充電器として携帯電話機２に附属する充電アダプタ５５をそのまま用いることができるので、安心して携帯電話機２の充電を行えることになる。すなわち、本発明の第２、第５の携帯電話機用アンテナ５１、５２、１６０、１９１は、外部アンテナ部５又は外部アンテナボックス１９５が充電機能を持たないアンテナであって単に充電アダプタ５５による充電を中継するものである。【００７７】  本発明の第３の携帯電話機用アンテナ９１、９２では、図４に示すように、アーム２１の第２端部側が延出されて掴み部９４が設けられ、または、図５に示すように、アーム２１の第２端部側に支持体９５が設けられ、この支持体９５が手で掴めるような形状に形成されているので、掴み部９４又は支持体９５を手で掴みアーム２１（各素子）の方向性等を変えることにより、容易に携帯電話機２の送受信可能な距離を長くすることができ、その結果、携帯電話機２の送受信の感度を良好な状態にすることができる。このため、本発明の第３の携帯電話機用アンテナ９１、９２をバス、トラック、乗用車等の車に搭載したり、山登り等の際にリュック等にいれておけば、何かのときに携帯電話機２で連絡をとりたい場合に携帯電話機２の送受信可能な距離を長くすることができ通話を可能にすることができることがある。また、その支持体９５に自己発電機が設けられている場合には、携帯電話機２の充電がない場合でも通話を行えることがある。【００７８】  また、本発明の第４の携帯電話機��アンテナ１０３、１０４では、図７及び図８に示すように、導波素子１０７、放射素子１０８及び反射素子１０９が１枚の基板１１５にパターンニング（配線）されて形成されているために、基板１１５にパターンニング（配線）するだけで簡単にアンテナエレメント１１１、１１２を製造することができる。【００７９】  また、本発明の第５の携帯電話機用アンテナ１９１、１９２では、導波素子、放射素子及び反射素子が平板状に形成されて外部アンテナボックス１９５に収容されているために、アンテナが受信する帯域が広くなり、ゲイン、利得があり、かつ、指向性に特に優れたものとなる。
【図面の簡単な説明】
【００８０】
【図１】  本発明の第１の携帯電話機用アンテナの一例を示す斜視図である。
【図２】  本発明の第２の携帯電話機用アンテナの一例を示す斜視図である。
【図３】  本発明の第２の携帯電話機用アンテナの他の例を示す斜視図である。
【図４】  本発明の第３の携帯電話機用アンテナの一例を示す斜視図である。
【図５】  本発明の第３の携帯電話機用アンテナの他の例を示す斜視図である。
【図６】  本発明の取付手段の他の例を示す斜視図である。
【図７】  本発明の第４の携帯電話機用アンテナの要部の一例を示す斜視図である。
【図８】  本発明の第４の携帯電話機用アンテナの要部の他の例を示す斜視図である。
【図９】  本発明の第２の携帯電話機用アンテナの他の例を示す概略構成図である。
【図１０】  本発明の第５の携帯電話機用アンテナの一例を示す斜視図である。
【図１１】  本発明の第５の携帯電話機用アンテナの他の例を示す斜視図である。
【符号の説明】
【００８１】１  第１の携帯電話機用アンテナ
２  携帯電話機
３  コネクタ部
４  ケーブル
５  外部アンテナ部
６  導波素子
７  放射素子
８  反射素子
９  アンテナエレメント
２１  アーム
３１  支持体
４１  取付部
４２  吸盤
５１  第２の携帯電話機用アンテナ
５２  第２の携帯電話機用アンテナ
９１  第３の携帯電話機用アンテナ
９２  第３の携帯電話機用アンテナ
９５  支持体
１００  窓
１０３  第４の携帯電話機用アンテナ
１０４  第４の携帯電話機用アンテナ
１１１  アンテナエレメント
１１２  アンテナエレメント
１１５  基板
１６０  第２の携帯電話機用アンテナ
１９１  第５の携帯電話機用アンテナ
１９２  第５の携帯電話機用アンテナ
【図１】
2005286983.tif 000003
【図２】
2005286983.tif 000004
【図３】
2005286983.tif 000005
【図４】
2005286983.tif 000006
【図５】
2005286983.tif 000007
【図６】
2005286983.tif 000008
【図７】
2005286983.tif 000009
【図８】
2005286983.tif 000010
【図９】
2005286983.tif 000011
【図１０】
2005286983.tif 000012
【図１１】
2005286983.tif 000013